(57)【要約】【課題】ソース機器として用いられるＡＶ機器であって、アクティブ機器ではなくなったときに、自機の消費電力を低減させることが可能となるＡＶ機器を提供する。【解決手段】シンク機器を含む複数の他機とともにＨＤＭＩ規格に準拠したネットワークを構築し、ソース機器として前記シンク機器へＡＶ信号を出力するＡＶ機器であって、前記他機の何れかがアクティブ機器であることを示すＣＥＣメッセージを受信することにより、自機がアクティブ機器ではなくなったことを認識する認識部と、自機がアクティブ機器ではなくなったときに、自機の消費電力を低減させる省電力動作を行う省電力動作部と、を備えたＡＶ機器とする。【選択図】図４
2012109779.tif 000002
【特許請求の範囲】
【請求項１】
シンク機器を含む複数の他機とともにＨＤＭＩ規格に準拠したネットワークを構築し、ソース機器として前記シンク機器へＡＶ信号を出力するＡＶ機器であって、
前記他機の何れかがアクティブ機器であることを示すＣＥＣメッセージを受信することにより、自機がアクティブ機器ではなくなったことを認識する認識部と、
自機がアクティブ機器ではなくなったときに、自機の消費電力を低減させる省電力動作を行う省電力動作部と、
を備えたことを特徴とするＡＶ機器。
【請求項２】
前記省電力動作部は、
前記省電力動作として、複数項目の動作を行うものであり、
自機が再びアクティブ機器となるまで、前記省電力動作を継続することを特徴とする請求項１に記載のＡＶ機器。
【請求項３】
前記省電力動作部は、
前記省電力動作を行うにあたって、
前記複数項目の動作の各々を、間隔をおいて順に開始することを特徴とする請求項２に記載のＡＶ機器。
【請求項４】
前記省電力動作部は、
前記複数項目の動作の各々を、復帰時間の短い方から、または自機の消費電力を大きく低減させる方から、順に開始することを特徴とする請求項３に記載のＡＶ機器。
【請求項５】
情報を表示する発光型のディスプレイを備えた請求項２から請求項４の何れかに記載のＡＶ機器であって、
前記複数項目の動作には、
前記シンク機器へのＡＶ信号の出力を停止する第１動作、および前記ディスプレイの表示輝度を下げる第２動作が含まれることを特徴とするＡＶ機器。
【請求項６】
記録媒体に格納されたデータに基づく前記ＡＶ信号を前記シンク機器へ出力し、該シンク機器に該データを再生させる請求項５に記載のＡＶ機器であって、
再生の実行中に前記第１動作を行う場合は、
次回の再生が前回の再生の続きとして行われるように、再生を停止させることを特徴とするＡＶ機器。
【請求項７】
前記ＣＥＣメッセージは、ＨＤＭＩ規格において定義された＜Active Source＞であることを特徴とする請求項１から請求項６の何れかに記載のＡＶ機器。
【発明の詳細な説明】
【技術分野】
【０００１】
本発明は、他機とともにＨＤＭＩ規格に準拠したネットワークを構築する、ＡＶ機器に関する。
【背景技術】
【０００２】
従来、ＡＶ［Audio-Visual］信号（ＡＶストリーム）の伝送用デジタルインタフェースとして、ＨＤＭＩ［High Definition Multimedia Interface］規格に準拠したものが普及している。ＨＤＭＩ規格に準拠したインタフェースを有するＡＶ機器同士は、ＨＤＭＩケーブルなどを用いて、ネットワークを構築することが可能となっている。
【０００３】
ＨＤＭＩ規格では、ＡＶ機器間のコントロールを行うための制御プロトコルとして、ＣＥＣ［Consumer Electronics Control］が規定されている。ＣＥＣによれば、ネットワーク上に存在する各機器に割り当てられたアドレスを利用して、様々な制御が可能である。
【０００４】
例えば、テレビ受像機（シンク機器）がデジタル放送を受像している最中に、テレビ受像機に接続されたＤＶＤプレーヤ（ソース機器）の再生ボタンが押下されると、ＤＶＤプレーヤは、＜Active Source＞をブロードキャストする。これにより当該ＤＶＤプレーヤがアクティブ機器となり、テレビ受像機は当該ＤＶＤプレーヤからのＡＶ信号を用いて、画像表示等を行うようになる。
【０００５】
その結果ユーザは、入力切替などの面倒な操作を行うことなく、ＤＶＤプレーヤの再生内容を視聴することが可能となる。またＣＥＣによれば、ＤＶＤプレーヤをテレビ受像機のリモコンから操作すること等も可能となる。
【０００６】
またＨＤＭＩ規格によれば、シンク機器に複数台のソース機器を接続させることも可能である。この場合であっても、例えば再生ボタンが押下されたソース機器がアクティブ機器となるため、ユーザは入力切替などの面倒な操作を行うことなく、所望のソース機器の再生内容を視聴することが可能となる。
【先行技術文献】
【特許文献】
【０００７】
【特許文献１】特開２０１０−１０３６３９号公報
【特許文献２】特開２０１０−０１０８５５号公報
【特許文献３】特開２００９−１００３２９号公報
【特許文献４】特開２００９−０３２３５１号公報
【特許文献５】再表２００７／０４００８０号公報
【発明の概要】
【発明が解決しようとする課題】
【０００８】
上述したようにシンク機器は、アクティブ機器から受取ったＡＶ信号を用いて画像表示などを行う。そのため各ソース機器についての使用状況に着目すると、アクティブ機器であるものが主に使用され、アクティブ機器ではないものは殆ど使用されないのが通常である。そのため、アクティブ機器ではないソース機器が通常の動作状態（アクティブ機器であるときの動作状態）を維持することは、消費電力の無駄が大きいと言える。
【０００９】
本発明は上述した問題に鑑みて、ソース機器として用いられるＡＶ機器であって、アクティブ機器ではなくなったときに、自機の消費電力を低減させることが可能となるＡＶ機器の提供を目的とする。
【課題を解決するための手段】
【００１０】
上記目的を達成するため本発明に係るＡＶ機器は、シンク機器を含む複数の他機とともにＨＤＭＩ規格に準拠したネットワークを構築し、ソース機器として前記シンク機器へＡＶ信号を出力するＡＶ機器であって、前記他機の何れかがアクティブ機器であることを示すＣＥＣメッセージを受信することにより、自機がアクティブ機器ではなくなったことを認識する認識部と、自機がアクティブ機器ではなくなったときに、自機の消費電力を低減させる省電力動作を行う省電力動作部と、を備えた構成とする。
【００１１】
本構成によれば、自機がアクティブ機器ではなくなったときに省電力動作を行い、自機の消費電力を低減させることが可能となる。
【００１２】
また上記構成としてより具体的には、前記省電力動作部は、前記省電力動作として、複数項目の動作を行うものであり、自機が再びアクティブ機器となるまで、前記省電力動作を継続する構成としてもよい。
【００１３】
また上記構成において、前記省電力動作部は、前記省電力動作を行うにあたって、前記複数項目の動作の各々を、間隔をおいて順に開始する構成としてもよい。本構成によれば、各動作が一気に開始される場合に比べ、自機を通常の動作状態に迅速に復帰させることが容易となる。
【００１４】
また上記構成としてより具体的には、前記省電力動作部は、前記複数項目の動作の各々を、復帰時間の短い方から、または自機の消費電力を大きく低減させる方から、順に開始する構成としてもよい。
【００１５】
また情報を表示する発光型ディスプレイを備えた上記構成のＡＶ機器において、前記複数項目の動作には、前記シンク機器へのＡＶ信号の出力を停止する第１動作、および前記ディスプレイの表示輝度を下げる第２動作が含まれる構成としてもよい。
【００１６】
また記録媒体に格納されたデータに基づく前記ＡＶ信号を前記シンク機器へ出力し、該シンク機器に該データを再生させる上記構成のＡＶ機器において、再生の実行中に前記第１動作を行う場合は、次回の再生が前回の再生の続きとして行われるように、再生を停止させる構成としてもよい。
【００１７】
また上記構成としてより具体的には、前記ＣＥＣメッセージは、ＨＤＭＩ規格において定義された＜Active Source＞である構成としてもよい。
【発明の効果】
【００１８】
本発明に係るＡＶ機器によれば、自機がアクティブ機器ではなくなったときに省電力動作を行い、自機の消費電力を低減させることが可能となる。
【図面の簡単な説明】
【００１９】
【図１】本発明の実施形態に係るＡＶシステムの形態に関する説明図である。
【図２】本発明の実施形態に係るソース機器の構成に関するブロック図である。
【図３】本発明の実施形態に係るソース機器の外観図である。
【図４】省電力動作の実行に関わる動作についてのフローチャートである。
【発明を実施するための形態】
【００２０】
本発明の実施形態について、複数のＡＶ機器によって形成されたＡＶシステムを挙げて、以下に説明する。
【００２１】
［ＡＶシステムおよび各ＡＶ機器の構成等について］
図１は、当該ＡＶシステム９の形態を示す説明図である。本図に示すようにＡＶシステム９は、ＨＤＭＩ規格に準拠したインタフェースを有する各ＡＶ機器（１、２Ａ〜２Ｃ）が、接続されることにより形成されている。なお当該接続にはＨＤＭＩケーブル５が用いられており、各ＡＶ機器は、ＨＤＭＩ規格に準拠したネットワークを構築している。
【００２２】
ＡＶシステム９は、より具体的には、シンク機器１に、複数台のソース機器（２Ａ〜２Ｃ）が接続されている。なおシンク機器１はテレビ受像機であり、ソース機器２ＡはＤＶＤ（記録媒体の一種）を用いた録画および再生の機能を有するＤＶＤプレーヤであるとする。
【００２３】
シンク機器１の構成ついて、図１を参照しながら以下に説明する。本図に示すようにシンク機器１は、ＩＦ部１１、アンテナ１２、ＨＤＭＩ端子１３、ＡＶ信号処理部１４、ディスプレイ１５、スピーカ１６、制御部１７、および操作部１８などを備えている。
【００２４】
ＩＦ部１１は、信号の伝送に関わる複数のチャンネル（図１では１〜５ｃｈを示す）が割当てられ、信号の入出力を管理する。１ｃｈは、地上デジタル放送などを受信するためのアンテナ１２が接続されており、放送信号（ＡＶ信号の一種）の伝送に用いられる。なおＩＦ部１１にはチューナ等が設けられており、ユーザが選択した放送チャンネルのＡＶ信号を、後段側へ伝送するようになっている。
【００２５】
また２〜５ｃｈの各々は、他機との接続に用いられるＨＤＭＩ端子１３が設けられており、他機との通信（ＡＶ信号やＣＥＣメッセージの伝送など）に用いられる。なお図１に示すように、ＡＶシステム９では、２ｃｈのＨＤＭＩ端子１３にはソース機器２Ａ（ＨＤＭＩ端子２１）が、３ｃｈのＨＤＭＩ端子１３にはソース機器２Ｂが、４ｃｈのＨＤＭＩ端子１３にはソース機器２Ｃが、それぞれ接続されているとする。
【００２６】
ＡＶ信号処理部１４は、ＩＦ部１１からＡＶ信号（ＡＶストリーム）を受取り、このＡＶ信号を映像信号と音声信号に分離する。ディスプレイ１５は、ＡＶ信号処理部１４から映像信号を受取り、この映像信号に基づいて映像を表示する。またスピーカ１６は、ＡＶ信号処理部１４から音声信号を受取り、この音声信号に基づいて音声を出力する。
【００２７】
制御部１７は、シンク機器１が適切に動作するように、シンク機器１の各部を制御する。操作部１８は、リモコン装置などを有しており、ユーザの操作を受付ける。操作内容は制御部１７に伝えられるようになっており、これにより、シンク機器１の動作にユーザの意図を反映させることが可能となっている。
【００２８】
次にソース機器２Ａの構成について説明する。なおここでは代表的にソース機器２Ａの構成ついて説明するが、他のソース機器（２Ｂ、２Ｃ）の構成もこれに準じたものである。図２はソース機器２Ａの構成についてのブロック図を表している。本図に示すようにソース機器２Ａは、ＨＤＭＩ端子２１、ＤＶＤアクセス部２３、通信部２４、付属ディスプレイ２５、ファン２６、制御部２７、および操作部２８などを備えている。
【００２９】
また図３は、ソース機器２Ａの外観図を表している。本図に示すようにソース機器２Ａは、全体的に見て各種部品が筐体２２に収納された形態の本体と、本体の遠隔操作を可能とするリモコン送信機２８ｃが設けられている。本体は、筐体２２の前面側（図３の手前側）がユーザに対面するように設置される。
【００３０】
筐体２２の前面側には、ＤＶＤ挿入口２３ａ、付属ディスプレイ２５、押しボタンスイッチ２８ａ、リモコン受信部２８ｂなどが設けられている。またＨＤＭＩ端子２１は、ＨＤＭＩケーブル５を繋げることが出来るように、筐体の一部に（本実施形態では筐体の前面側に）設けられている。
【００３１】
ＤＶＤアクセス部２３は、ＤＶＤ挿入口２３ａを通じて、ＤＶＤが自在に挿入されるようになっており、このＤＶＤとの間で情報の読書きを行う機能を有している。またＤＶＤアクセス部２３には、ＤＶＤ回転機構２３ｂ、レーザ照射機構２３ｃ、およびデータ取得機構２３ｄなどが設けられている。
【００３２】
ＤＶＤ回転機構２３ｂは、モータ等からなり、挿入されたＤＶＤを回転させるための機構である。またレーザ照射機構２３ｃは、ＤＶＤの表面にレーザを照射するための機構である。またデータ取得機構２３ｄは、各種の光学部材などからなり、回転しているＤＶＤの表面で反射したレーザの反射光を用いて、ＤＶＤに格納されたＡＶデータを取得するための機構である。
【００３３】
通信部２４は、他機との接続に用いられるＨＤＭＩ端子２１が接続されており、制御部２７の指示に応じて、他機との通信を行う。ここでの通信には、シンク機器１へのＡＶ信号の出力、およびＣＥＣメッセージの送受信が含まれる。付属ディスプレイ２５は、ソース機器２Ａの本体に付属している発光型のディスプレイ（例えばＦＬＤ、ＬＣＤなど）であり、現在時刻や再生状況などの情報の表示に用いられる。なお付属ディスプレイ２５は、表示輝度が調節可能となっている。
【００３４】
ファン２６は、筐体２２の内部に設置されており、制御部の指示に応じて回転する。ファン２６を回転させることによって、筐体２２の内部に空気の流れを発生させ、ソース機器２Ａの各部品を冷却することが可能となっている。
【００３５】
制御部２７は、ソース機器２Ａが適切に動作するように、ソース機器２Ａの各部を制御する。操作部２８は、操作スイッチ２８ａおよびリモコン装置（リモコン受光部２８ｂおよびリモコン送信機２８ｃを含む）を有しており、ユーザの操作を受付ける。操作内容は制御部２７に伝えられるようになっており、これにより、ソース機器２Ａの動作にユーザの意図を反映させることが可能となっている。
【００３６】
制御部２７は、再生開始の操作がなされたときに、ＤＶＤに格納されたＡＶデータを取得してＡＶ信号を生成し、このＡＶ信号がシンク機器１へ出力されるように、各部を制御する。これによりシンク機器１を通じて、ＤＶＤの再生（ＤＶＤに格納されたＡＶデータの再生）が実現される。
【００３７】
また制御部２７は、録画開始の操作がなされたときに、テレビ放送の受信等によって得られたＡＶデータが、ＤＶＤに記録されるように各部を制御する。これによりＤＶＤを用いた録画が実現される。またこのとき、当該ＡＶデータを用いて生成されたＡＶ信号が、シンク機器１へ出力されるようになっていても構わない。これによりユーザは、シンク機器１を通じて、録画内容をリアルタイムに確認することが可能となる。なお後述する通り、シンク機器１へのＡＶ信号の出力は、自機がアクティブ機器ではなくなったときには、停止されることになる。
【００３８】
［ＣＥＣメッセージに関わる動作等について］
先述した通り各ＡＶ機器は、ＨＤＭＩ規格に準拠したネットワークを構築しており、ＣＥＣメッセージ（ＨＤＭＩ規格による機器制御信号）を用いた機器間の通信を実行する。以下、＜Active Source＞（自機がアクティブ機器であることを示すＣＥＣメッセージ）に関わる各ＡＶ機器の動作について説明する。
【００３９】
各ＡＶ機器は、自機においてユーザによる特定操作（再生開始の操作など）がなされると、ＡＶシステム９上でのアクティブ機器となり、＜Active Source＞をブロードキャストする。これにより、ＡＶシステム９における他の全てのＡＶ機器に、＜Active Source＞の送信元であるＡＶ機器がアクティブ機器となったことが通知される。
【００４０】
これを受けてシンク機器１は、＜Active Source＞の送信元であるＡＶ機器がアクティブ機器となったことを認識し、ＡＶ信号入力のチャンネルを、このＡＶ機器に対応したチャンネルに設定する。これによりシンク機器１は、アクティブ機器から送信されるＡＶ信号に基づいて、画像表示や音声出力を行うようにする。
【００４１】
例えばアクティブ機器がソース機器２Ａからソース機器２Ｂに変更されたとき、シンク機器１は、ＡＶ信号入力のチャンネルを２ｃｈから３ｃｈに切替える。これによりユーザは、チャンネル切替などの面倒な操作を行うことなく、操作したＡＶ機器から提供されるＡＶデータを視聴することができる。
【００４２】
ところでソース機器２Ａは、自機がアクティブ機器ではなくなったときに、所定の省電力動作を実行する機能を有している。なお省電力動作は、通常時に比べて自機の消費電力を低減させるための動作であり、その具体的内容は後述する説明にて明らかとなる。
【００４３】
省電力動作の実行に関わる動作の流れについて、図４に示すフローチャートを参照しながら、以下に説明する。
【００４４】
ソース機器２Ａは、自機がアクティブ機器であるとき、通常の動作状態となっている（ステップＳ０）。このときソース機器２Ａは、例えばＤＶＤの再生を行っている間は、ＤＶＤからＡＶデータを継続的に読出し、ＡＶ信号を生成してシンク機器１へ出力する。なおソース機器２Ａは、他機からのＣＥＣメッセージの受信を常時監視している。
【００４５】
この状態において他機から＜Active Source＞を受信すると（ステップＳ１のＹ）、ソース機器２Ａはこの受信によって、当該他機がアクティブ機器となったために、自機がアクティブ機器ではなくなったことを認識する（ステップＳ２）。ここでソース機器２Ａがアクティブ機器ではない間においては、他のアクティブ機器が主に使用され、ソース機器２Ａは殆ど使用されないのが通常である。そしてこの状況で、ソース機器２Ａが通常の動作状態を維持することは、消費電力の無駄が大きいと言える。
【００４６】
そこでソース機器２Ａは、自機がアクティブ機器ではなくなったことから、省電力動作を開始する（ステップＳ３）。なおソース機器２Ａは省電力動作として、（１）シンク機器１へのＡＶ信号の出力を停止（Mute）する動作、および（２）付属ディスプレイ２５の表示輝度を下げる（表示輝度をゼロにする場合を含む）動作の、複数項目の動作を行うようになっている。
【００４７】
上記（１）の動作によれば、ＡＶ信号の生成や出力の処理等に必要な電力を抑えることにより、消費電力を低減させることが可能である。ソース機器２Ａがアクティブ機器ではない間、シンク機器１はソース機器２Ａ以外の機器から受けるＡＶ信号を用いて画像表示等を行うため、上記（１）の動作が実行されても特に支障は生じない。
【００４８】
なおＤＶＤの再生の実行中に上記（１）の動作が開始される場合は、「Resume On Stop」として、この再生が一時停止される。すなわち、次回の再生が前回の再生の続きとして行われるように、再生が一時停止される。そのためユーザは、次回の再生時には、前回の再生の続きの内容を視聴することが可能である。
【００４９】
なお再生が一時停止された状態では、レーザ照射機構２３ｃのレーザ照射は停止されるが、ＤＶＤ回転機構２３ｂによるＤＶＤの回転は維持されており、次回の再生を速やかに開始することが可能である。但し、この一時停止された状態が一定時間継続すると、省電力などの観点からＤＶＤの回転も停止される。
【００５０】
また上記（２）の動作によれば、発光に使われる電力を抑えることにより、消費電力を低減させることが可能である。ソース機器２Ａがアクティブ機器ではない間は、先述したように、ソース機器２Ａは殆ど使用されないのが通常である。そのため、表示輝度が低くされると表示は見辛くなるが、多くの場合、これによってユーザが不便を感じることは殆ど無い。
【００５１】
上記の省電力動作は、自機が再びアクティブ機器となるまで（すなわち、後述するステップＳ５の動作が行われるまで）継続される。なお、ＤＶＤを用いた録画の実行中に省電力動作が開始される場合、当該録画の動作は省電力動作の実行に影響されることなく、そのまま継続される。
【００５２】
ソース機器２Ａは、省電力動作を行っている間、再生開始等の操作を待機する（ステップＳ４）。このときユーザによって再生開始等の操作がなされると（ステップＳ４のＹ）、ソース機器２Ａは、＜Active Source＞をブロードキャストするとともに、省電力動作を終了させる（ステップＳ５）。またソース機器２Ａは、再びアクティブ機器となり（ステップＳ０）、ユーザの操作に対応した動作を実行する。
【００５３】
なお本実施形態でのソース機器２Ａは、上述した内容の省電力動作を実行するが、省電力動作はこのような内容に限られるものではない。例えば、（３）ＤＶＤ回転機構２３ｂにおけるＤＶＤの回転速度を下げる（回転を停止させる場合も含む）動作、（４）ファン２６の回転速度を下げる（回転を停止させる場合も含む）動作、および（５）レーザ照射機構２３ｃにおけるレーザ照射を停止させる動作なども、省電力動作の項目とすることが可能である。そして省電力動作として、上記（１）〜（５）のうち、１または複数の項目が実行されるようにすることも可能である。
【００５４】
またソース機器２Ａを、省電力動作として複数項目の動作を行うものとする場合、これらの動作が開始されるタイミングについて、種々の形態を採用することが可能である。一例を挙げれば、ソース機器２Ａは、アクティブ機器ではなくなったときに、これらの動作の各々を同時的に開始するようにしても良く、間隔（例えば５分といった一定の間隔）をおいて順に開始するようにしても良い。
【００５５】
なお、各動作が順に開始されるようにする場合は、各動作が一気に開始されるようにする場合に比べ、ソース機器２Ａを通常の動作状態に迅速に復帰させることが容易となる。特に、ソース機器２Ａが一旦アクティブ機器ではなくなった後、直ちにアクティブ機器となるような状況では、復帰時間の大きな削減が見込まれる。
【００５６】
そして省電力動作としての複数項目の動作の各々が、順に開始されるようにする場合、その順番については、種々の方針に従って決めておくことが可能である。例えばこれらの動作の各々が、復帰時間（通常の動作状態に戻るまでに要する時間）の短い方から順に開始されるようにすることが可能である。このようにすれば、ソース機器２Ａにおける通常の動作状態への復帰時間を、極力短くすることが出来る。
【００５７】
また例えばこれらの動作の各々が、自機の消費電力を大きく低減させる方から順に、開始されるようにすることも可能である。このようにすれば、ソース機器２Ａの消費電力を極力低減させることが出来る。
【００５８】
［その他］
以上に説明した通り、ソース機器２Ａは、シンク機器１を含む複数の他機とともにＨＤＭＩ規格に準拠したネットワークを構築し、ソース機器としてシンク機器１へＡＶ信号を出力するものである。そしてソース機器２Ａは、他機の何れかがアクティブ機器であることを示す＜Active Source＞を受信することにより、自機がアクティブ機器ではなくなったことを認識する機能部（認識部）と、自機がアクティブ機器ではなくなったときに、自機の消費電力を低減させる省電力動作を行う機能部（省電力動作部）と、を備えている。
【００５９】
そのためソース機器２Ａによれば、自機がアクティブ機器ではなくなったときに省電力動作を行い（つまり省電力モードとなり）、自機の消費電力を低減させることが可能となっている。
【００６０】
なおＣＥＣメッセージの一種である＜Active Source＞は、基本コマンド（各ベンダーに共通）となっている。そのためソース機器２Ａは、異なるベンダーのＡＶ機器とともにＡＶシステム９を構築していても、他機からの＜Active Source＞を受信し、自機がアクティブ機器ではなくなったことを認識することが可能である。
【００６１】
以上、本発明の実施形態について説明したが、本発明はこの内容に限定されるものではない。例えば本実施形態に係るＡＶシステム９は、ＨＤＭＩ規格に準拠したネットワークを実現するシステムの一例に過ぎず、当該システムを構築するＡＶ機器の種類や個数、およびＡＶ機器同士の接続状態などについては、様々な形態とすることが可能である。また本発明の実施形態は、本発明の主旨を逸脱しない限り、種々の改変を加えることが可能である。
【産業上の利用可能性】
【００６２】
本発明は、ＨＤＭＩ規格に準拠したＡＶ機器に利用することができる。
【符号の説明】
【００６３】
１    シンク機器
２Ａ〜２Ｃ    ソース機器
５    ＨＤＭＩケーブル
９    ＡＶシステム
１１    ＩＦ部
１２    アンテナ
１３    ＨＤＭＩ端子（シンク機器側）
１４    ＡＶ信号処理部
１５    ディスプレイ
１６    スピーカ
１７    制御部（シンク機器側）
１８    操作部（シンク機器側）
２１    ＨＤＭＩ端子（ソース機器側）
２２    筐体
２３    ＤＶＤアクセス部
２３ａ  ＤＶＤ挿入口
２３ｂ  ＤＶＤ回転機構
２３ｃ  レーザ照射機構
２３ｄ  データ取得機構
２４    通信部
２５    付属ディスプレイ（発光型のディスプレイ）
２６    ファン
２７    制御部（ソース機器側）
２８    操作部（ソース機器側）
２８ａ  操作スイッチ
２８ｂ  リモコン受信部
２８ｃ  リモコン送信機
【図１】
2012109779.tif 000003
【図２】
2012109779.tif 000004
【図３】
2012109779.tif 000005
【図４】
2012109779.tif 000006